(57)【要約】【課題】お湯張り時の水栓の開栓忘れによるお湯はり未完了を防止する使い勝手のよい、利便性に優れた給湯装置を提供する。【解決手段】通水路を流れる水量を検出する水量検出装置９と、水を加熱する熱交換器４と、前記通水路を開閉する水量制御弁１１と、前記水量検出装置の信号により通水路を流れた積算水量を求める制御部１２と、目標積算水量を設定するとともに出湯指示を操作する外部入力装置１３を備え、前記制御部１２には外部入力装置１３から出湯指示があったとき所定時間をカウントするタイマーを設け、前記タイマーがカウントアップするまでに前記水量検出装置からの信号が入力されない場合、水栓の未開放を報知するようにしたものである。【選択図】図１
2006329546.tif 000002
【特許請求の範囲】
【請求項１】
通水路を流れる水量を検出する水量検出装置と、水を加熱する熱交換器と、前記通水路を開閉する水量制御弁と、前記水量検出装置の信号により通水路を流れた積算水量を求める制御部と、目標積算水量を設定するとともに出湯指示を操作する外部入力装置を備え、前記制御部には外部入力装置から出湯指示があったとき所定時間をカウントするタイマーを設け、前記タイマーがカウントアップするまでに前記水量検出装置からの信号が入力されない場合、水栓の未開放を報知するようにした給湯装置。
【請求項２】
熱交換後の通水路の湯温を検出する出湯サーミスタを設け、制御部はタイマーがカウントアップするまでに前記出湯サーミスタからの所定の信号が入力されない場合、水栓の未開放を報知するようにした請求項１記載の給湯装置。
【請求項３】
水栓に湯温を検出する温度センサを設け、制御部はタイマーがカウントアップするまでに前記温度センサからの所定の信号が入力されない場合、水栓の未開放を報知するようにした請求項１記載の給湯装置。
【発明の詳細な説明】
【技術分野】
【０００１】
本発明は、主として家庭用又は業務用の給水装置において、お湯はり時の報知、止水を行う給湯装置に関するものである。
【背景技術】
【０００２】
従来、この種の風呂へのお湯張り時の報知、止水を行う給湯装置にでは、リモコン等の外部入力装置に設けたお湯張りスッチを押して、人為的に給湯栓をあけてお湯はりを開始している。
【０００３】
図４において、１はバーナー、２はバーナー１に燃料ガスを供給するガス管、３はバーナー１に燃焼用空気供給するファン、４はバーナー１の燃焼によって発生する燃焼ガスの下流に位置する給湯熱交換器、１０は給湯栓である。
【０００４】
外部入力装置１３に設けたお湯張りスッチが押され出湯指示が操作されると、人為的に給湯栓１０をあけて給水管５から給水が開始されると、ファン３が回転し、バーナー１が燃焼を開始する。バーナー１の燃焼により給湯熱交換器４内の水８が熱せられ、給湯用熱交換器出湯管６から浴槽１４に出湯される。
【０００５】
このとき、水量センサ９から制御器１２に信号が入力され、毎分の流量が積算されている。水量センサ９からの信号により積算流量が外部入力装置１３であらかじめ設定された積算流量に達すると制御器１２から水量制御弁１１に信号が出力されモーターにより自動的に通水路は閉止され、給水管５からの給水が停止して、バーナー１への燃料ガスの供給が停止され、バーナー１の燃焼が停止し浴槽１７へのお湯張りが完了する（例えば、特許文献１参照）。
【特許文献１】特許第３１５２０２２号公報
【発明の開示】
【発明が解決しようとする課題】
【０００６】
しかしながら上記従来の構成では，お湯はりスイッチを押しても実際に給湯栓を開け忘れた場合は実際のお湯はりが完了しない。または混合水栓を間違えて水側にして開けた場合はお湯はりを行わないで浴槽に水が溜まってしまうという課題を有していた。
【０００７】
本発明は、前記従来の課題を解決するもので、お湯はり運転を人為的ミスなしに行う利便性に優れた給湯装置を提供することを目的としたものである。
【課題を解決するための手段】
【０００８】
前記従来の課題を解決する為に、本発明の給湯装置は、通水路を流れる水量を検出する水量検出装置と、水を加熱する熱交換器と、前記通水路を開閉する水量制御弁と、前記水量検出装置の信号により通水路を流れた積算水量を求める制御部と、目標積算水量を設定するとともに出湯指示を操作する外部入力装置を備え、前記制御部には外部入力装置から出湯指示があったとき所定時間をカウントするタイマーを設け、前記タイマーがカウントアップするまでに前記水量検出装置からの信号が入力されない場合、水栓の未開放を報知するようにしたものである。
【０００９】
上記発明によれば、外部入力装置で出湯指示を行った後に水栓が開かれていない場合は、水量検出装置の信号を利用して所定時間経過後に水栓が開かれていないことを報知するようにしているため、お湯張り操作ミスを未然に防ぐことができ、より利便性に優れた給湯装置を提供することができる。
【発明の効果】
【００１０】
本発明の給湯装置は、お湯張り操作ミスを未然に防止することができ、より利便性の優れた給湯装置を提供することができる。
【発明を実施するための最良の形態】
【００１１】
第１の発明は、通水路を流れる水量を検出する水量検出装置と、水を加熱する熱交換器と、前記通水路を開閉する水量制御弁と、前記水量検出装置の信号により通水路を流れた積算水量を求める制御部と、目標積算水量を設定するとともに出湯指示を操作する外部入力装置を備え、前記制御部には外部入力装置から出湯指示があったとき所定時間をカウントするタイマーを設け、前記タイマーがカウントアップするまでに前記水量検出装置からの信号が入力されない場合、水栓の未開放を報知するようにしたものである。
【００１２】
そして、外部入力装置で出湯指示を行った後に水栓が開かれていない場合は、水量検出装置の信号を利用して所定時間経過後に水栓が開かれていないことを報知するようにしているため、お湯張り操作ミスを未然に防ぐことができ、より利便性に優れた給湯装置を提供することができる。
【００１３】
第２の発明は、熱交換後の通水路の湯温を検出する出湯サーミスタを設け、制御部はタイマーがカウントアップするまでに前記出湯サーミスタからの所定の信号が入力されない場合、水栓の未開放を報知するようにしたものである。
【００１４】
そして、外部入力装置で出湯指示を行った後に出湯サーミスタから湯水の昇温信号がない場合は通水路に水が流れていない状態であると判断し、所定時間経過後に水栓が開かれていないことを報知するようにしているため、お湯張り操作ミスを未然に防ぐことができ、より利便性に優れた給湯装置を提供することができる。
【００１５】
第３の発明は、水栓に湯温を検出する温度センサを設け、制御部はタイマーがカウントアップするまでに前記温度センサからの所定の信号が入力されない場合、水栓の未開放を報知するようにしたものである。
【００１６】
そして、外部入力装置で出湯指示を行った後に温度センサから湯水の昇温信号がない場合は給湯側の水栓が開かれていない状態であると判断し、所定時間経過後に水栓が開かれていないことを報知するようにしているため、お湯張り操作ミスを未然に防ぐことができ、より利便性に優れた給湯装置を提供することができる。
【００１７】
以下、本発明の実施の形態について図面を用いて説明する。なお、本実施の形態によって本願発明が限定されるものではない。
【００１８】
（実施の形態１）
図１は、本発明の第１の実施の形態における給湯装置の「お湯張り動作」のシーケンスフローを示している。
【００１９】
なお、給湯装置の構成及び動作は従来例で示した図４と同一であり、異なる部分について説明する。
【００２０】
まず、Ｓ１で外部入力装置１３に設けたお湯張りスイッチが押されると、Ｓ２で制御器１２に内蔵されたタイマーが起動する。
【００２１】
次に、Ｓ３でタイマーのカウントがＴ時間経過したか否かを判定し、Ｓ４でＴ時間経過する前に水栓１０が開栓され水量検出装置である水量センサー9から制御器１２に信号が入力されたか否かを確認し水栓１０が開栓されと判定した場合は、Ｓ５でバーナ１の燃焼を開始し所定温度に制御された湯水を浴槽１４に供給し「お湯張り」運転を開始する。そして、Ｓ６で設定湯量に達すると、Ｓ７で水量制御弁１１を閉止し、Ｓ８で「お湯張り」運転を完了する。
【００２２】
また、Ｓ３、Ｓ４でＴ時間経過しタイマーがカウントアップしても水栓１０が開かれず水量センサー９から制御器１２に信号が入力されない場合は、Ｓ９で外部入力装置１３により水栓１０が開かれていないことを報知する。
【００２３】
（実施の形態２）
図２は、本発明の第２の実施の形態における給湯装置の「お湯張り動作」のシーケンスフローを示している。
【００２４】
なお、給湯装置の構成及び動作は従来例で示した図４と同一であり、異なる部分について説明する。
【００２５】
まず、Ｓ１０１で外部入力装置１３に設けたお湯張りスイッチが押されると、Ｓ１０２で制御器１２に内蔵されたタイマーが起動する。
【００２６】
次に、Ｓ１０３でタイマーのカウントがＴ時間経過したか否かを判定し、Ｓ１０４でＴ時間経過する前に出湯サーミスタ７から制御器１２に昇温信号が入力されたか否かを確認し、昇温信号がある場合は水栓１０が開かれバーナ１の燃焼開始により正常に熱交換が行われていると判断して、Ｓ１０５で「お湯張り」運転を開始し湯張り量の積算を開始する。そして、Ｓ１０６で積算湯張り量が設定湯量に達したか否かを確認し設定湯量に達すると、Ｓ１０７で水量制御弁１１を閉止し、Ｓ１０８で「お湯張り」運転を完了する。
【００２７】
また、Ｓ１０３、Ｓ１０４でＴ時間経過しタイマーがカウントアップしても出湯サーミスタ７から昇温信号が入力されない場合は、水栓１０が開かれずバーナ１の加熱動作がかいしされていない状態であると判断し、Ｓ１０９で外部入力装置１３により水栓１０が開かれていないことを報知する。
【００２８】
（実施の形態３）
図３は、本発明の第３の実施の形態における給湯装置の「お湯張り動作」のシーケンスフローを示している。
【００２９】
なお、給湯装置の構成及び動作は従来例で示した図４と同一であり、異なる部分について説明する。本実施の形態では水栓１０に湯水混合弁を用いた場合の動作であり、水栓１０に温度センサー８を設けている。
【００３０】
まず、Ｓ２０１で外部入力装置１３に設けたお湯張りスイッチが押されると、Ｓ２０２で制御器１２に内蔵されたタイマーが起動する。
【００３１】
次に、Ｓ２０３でタイマーのカウントがＴ時間経過したか否かを判定し、Ｓ２０４でＴ時間経過する前に温度センサー８から制御器１２に昇温信号が入力されたか否かを確認し、昇温信号がある場合は湯水混合装置を用いた水栓１０の湯側と水側が適正に調整されバーナ１の燃焼開始により正常に熱交換が行われていると判断して、Ｓ２０５で「お湯張り」運転を開始し湯張り量の積算を開始する。そして、Ｓ２０６で積算湯張り量が設定湯量に達したか否かを確認し設定湯量に達すると、Ｓ２０７で水量制御弁１１を閉止し、Ｓ２０８で「お湯張り」運転を完了する。
【００３２】
また、Ｓ２０３、Ｓ２０４でＴ時間経過しタイマーがカウントアップしても温度センサー８から昇温信号が入力されない場合は、水栓１０が開かれずバーナ１の加熱動作が開始されていないか、または、湯水混合装置を用いた水栓１０の湯側と水側が適正に調整されておらず水側のみ開放状態であると判断し、Ｓ２０９で外部入力装置１３により水栓１０が開かれていない、または、湯水混合装置の湯側が開かれていないことを報知する。
【産業上の利用可能性】
【００３３】
本発明による給湯装置は、お湯張り時の誤動作を防止して使い勝手のよい、利便性に優れた給湯装置を提供することができ、電気温水器等の貯湯式給湯装置にも利用できる。
【図面の簡単な説明】
【００３４】
【図１】本発明の実施の形態１におけるフローチャート
【図２】本発明の実施の形態２におけるフローチャート
【図３】本発明の実施の形態３におけるフローチャート
【図４】給湯装置の全体構成図
【符号の説明】
【００３５】
４  熱交換器
９  水量センサー（水量検出装置）
１１  水量制御弁
１２  制御器（タイマー）
１３  外部入力装置
【図１】
2006329546.tif 000003
【図２】
2006329546.tif 000004
【図３】
2006329546.tif 000005
【図４】
2006329546.tif 000006